Podtech/llm-jp-corpus-v4-ja_patent huggingface dataset:
(57)【要約】      （修正有）【課題】従来の校正作業の委託による形態ではなく、パソコンで音声を聞きながらの校正が可能であり、多数の議事録の作成から公開迄の時間短縮に繋がる等、作業効率が良くなる事や電子政府への取組が出来る事である。【解決手段】録音されたテープから音声認識技術を使い、議事録データを入力しデータベースへ保存を行う。議事録が保存されたデータベースより指定条件にて抽出を行う事で検索が可能になる。又、従来のキーボードからの入力も可能な事やテキストデータでの議事録校正結果を出力する手段を備えている。【選択図】図１
2004279860.tif 000002
【特許請求の範囲】
【請求項１】
音声入力装置や音声録音媒体から入力された音声情報を発言者毎に蓄積する音声蓄積手段と、音声蓄積手段により蓄積された音声情報を音声認識技術により自動的に文字情報に変換する音声認識手段と、音声認識手段により変換された文字情報と各発言者の音声情報をリンクさせて議事録文書ファイルとしてデータベースに保存する議事録保存手段と、議事録保存手段により保存された議事録文書の中から素早く任意の議事録文書を検索する議事録検索手段と、議事録検索手段により検索された議事録文書を表示する議事録表示手段と、議事録表示手段により表示された議事録文書を校正する議事録校正手段と、議事録校正手段により校正された議事録文書を出力する議事録出力手段とを有する事を特徴とする議事録検索支援装置。
【請求項２】
請求項１記載の議事録検索支援装置において、前記議事録表示手段は、表示した議事録文書に対応する音声情報を再生することで前記議事録校正手段を容易に行えることを特徴とする議事録検索支援装置。
【請求項３】
請求項１記載の議事録検索支援装置において、前記議事録出力手段は、前記議事録校正手段により校正された議事録文書を点字出力することで目の不自由な方も議事録文書を閲覧することが可能となっていることを特徴とする議事録検索支援装置。
【発明の詳細な説明】
【０００１】
【発明の属する技術分野】
本発明は、音声入力装置や音声録音媒体から入力された音声情報を音声認識技術により自動的に文字変換し、議事録文書の編集時に生じる校正作業を容易に行うことを目的とする議事録検索支援装置。
【０００２】
【従来の技術】
議会や講演会などの議事録を作成する際には、音声録音媒体に音声情報を録音した後に前記音声録音媒体を聴きながら議事録を作成する。しかし、聴き取れない箇所を何度も聴きながら議事録を作成するので議事録が完成するまでに多大な時間と手間がかかっていた。
【０００３】
【発明が解決しようとする課題】
本発明は、音声認識技術を用いて自動的に文字情報に変換した後に、発言者と対応した音声情報を再生することで議事録文書の校正作業を容易に行うことを可能にする議事録検索支援装置を提供することにある。
【０００４】
【課題を解決する為の手段】
上記目的を達成するために、請求項１記載の発明は、音声入力装置や音声録音媒体から入力された音声情報を発言者毎に蓄積する音声蓄積手段と、音声蓄積手段により蓄積された音声情報を音声認識技術により自動的に文字情報に変換する音声認識手段と、音声認識手段により変換された文字情報と各発言者の音声情報をリンクさせて議事録文書ファイルとしてデータベースに保存する議事録保存手段と、議事録保存手段により保存された議事録文書の中から素早く任意の議事録文書を検索する議事録検索手段と、議事録検索手段により検索された議事録文書を表示する議事録表示手段と、議事録表示手段により表示された議事録文書を校正する議事録校正手段と、議事録校正手段により校正された議事録文書を出力することが可能となっていることを特徴としている。
【０００５】
また、請求項２記載の発明は、請求項１記載の議事録検索支援装置において、前記議事録表示手段は、表示した議事録文書に対応する音声情報を再生することで前記議事録校正手段を容易に行えるようになっていることを特徴としている。
【０００６】
また、請求項３記載の発明は、請求項１記載の議事録検索支援装置において、前記議事録出力手段は、前記議事録校正手段により校正された議事録文書を点字出力することで目の不自由な方も議事録文書を閲覧することが可能となっていることを特徴としている。
【０００７】
【発明の実施の形態】
図１において前記議事録表示手段については、音声認識技術を利用し、音声認識エンジンを起動させ音声認識を開始させ、あらかじめ設定された    音声認識率に基づき音声を聞き取り画面上に表示される。
【０００８】
図１において前記議事録保存手段については、前記議事録校正手段により構成された議事録文書をデータベースに保存される。
【０００９】
図１において前記議事録検索手段については、指定した検索条件に該当する議事録文書をデータベースより抽出し画面上に表示される。
【００１０】
【実施例】
図１は、本発明の議会議事録の入力から保存・検索・閲覧・出力を処理したものである。
【００１１】
【発明の効果】
以上説明したように、本発明により、特別複雑な機器構成を備える事なく、議事録の作成が可能であり、作業負担や経費の面で削減する事が可能である。
更に情報の早期公開によりサービスの向上が図れる。
【図面の簡単な説明】
【図１】議事録検索支援装置「機能関連図」である。（実施例１）
【図２】議事録検索支援装置「処理フローチャート」である。
【図３】議事録検索支援装置「議事録出力結果」である。
【図１】
2004279860.tif 000003
【図２】
2004279860.tif 000004
【図３】
2004279860.tif 000005
(57)【要約】      （修正有）【課題】外来からのノイズ等の信号への影響を緩和出来、且つ、出力信号の取り扱いを容易に出来る赤外線検出装置を提供する。【解決手段】外来からのノイズ等による赤外線検出器１からの出力信号への影響をデジタル変換素子３を具備させ、出力信号をデジタル化する。【選択図】        図１
2004279066.tif 000002
【特許請求の範囲】
【請求項１】
赤外線検出装置に於いて、赤外線検出器からの出力信号をデジタル化し、送信する事により信号の取り扱いを容易にした事を特徴とする赤外線検出装置。
【発明の詳細な説明】
【０００１】
【発明の属する技術分野】
本発明は、赤外線検出装置に搭載される出力方式に関する。
【０００２】
【従来の技術】
人体検出赤外線検出装置として、外来からのノイズ等の影響により出力信号が変動し、誤検出が発生する為、外来からのノイズ等による出力影響を受けない事が求められている。
赤外線検出装置として一般的には、図２の様な回路構成となっている。
外来からのノイズ等からの影響緩和として、回路パターンの変更、赤外線検出装置全体をシールドするなどの手法が用いられているが回路パターンの再作製、シールド材追加等、時間、コストの両面で増加の傾向であった。また、出力信号がアナログ信号である事から信号の取り扱いが困難であった。
【０００３】
【発明が解決しようとする課題】
従来の手法では赤外線検出器からの出力信号はアナログ信号であり、外来からのノイズ等に対し、出力信号に誤差が発生していた。
本発明は、外来からのノイズ等による赤外線検出器からの出力信号への影響をデジタル変換素子を具備させ、出力信号をデジタル化する事により外来からのノイズ等の信号への影響を緩和出来、且つ、出力信号の取り扱いを容易に出来る赤外線検出装置を提供するものである。
【０００４】
【課題を解決するための手段】
本発明は、前記の課題を解決する為、赤外線検出器近傍にデジタル変換素子を具備させる事により、赤外線検出器からの出力信号をデジタル化し、送信する事で信号の取り扱いを容易にした事を特徴とした赤外線検出装置である。
【０００５】
【発明の実施の形態】
本発明は、従来のアナログ信号をデジタル変換素子を具備させる事で外来からのノイズ等の影響を受けないデジタル信号化する事が出来、且つ、出力信号の取り扱いを容易にする事が出来る。
【０００６】
【実施例】
図１に本発明の赤外線温度検出装置の回路構成図を示す。以下、この図を基に本考案の実施例を具体的に述べる。
この考案の赤外線検出装置が図２の従来の赤外線検出装置と異なる所は、従来の赤外線検出装置からのアナログ信号をデジタル変換素子を具備する事により出力信号をデジタル化している事である。
赤外線検出素子、抵抗、コンデンサ、オペアンプ等の電子部品にて構成された赤外線検出器にデジタル変換素子を具備させる事により、アナログ信号をデジタル信号化し、外来からのノイズ等の影響を受けず、通信処理し易くする事が出来た。
この外来からのノイズ影響は、温度検出精度に大きく寄与してくる。例えば、オペアンプを介した赤外線検出素子からの出力信号へ外来からのノイズによる変動が生じた場合、温度検出対象物が無いにも関わらず、あたかも、温度対象物があるかの様な信号を後回路となる信号処理回路へ通信してしまい誤検出となってしまう。しかし、デジタル変換素子を具備させる事により、外来からのノイズ影響を受けないデジタル信号化する事が出来る為、精度の良い温度計測が可能となる。
但し、出力信号をデジタル化する事により通信処理し易くなるが、弊害として信号線が増加してしまう事となる。これを少線化する為に図３の様に直列並列順次変換素子を具備させる。これにより、デジタル変換素子を具備させる事で発生する多数の信号線を直列並列順次変換素子にて蓄積・排出を繰り返す事で、多数の出力信号を一本化する事が可能となった。尚、直列並列順次変換機能を持つデジタル変換素子を用いた場合も同様に出力信号線を一本化する事が出来る。
【０００７】
【発明の効果】
本発明の様に、赤外線検出装置の回路構成に於いて、赤外線検出素子、抵抗、コンデンサ、オペアンプ等からなる赤外線検出器の近傍にデジタル変換素子を具備する事で出力信号をデジタル化し、送信する事により信号の取り扱いが容易となる効果がある。
又、直列並列順次変換素子、直列並列順次変換機能を持ったデジタル変換素子を具備させ、直列通信を行う事により、外来からのノイズ等からの影響を無視出来、且つ、信号線を少線化する効果がある。
【図面の簡単な説明】
【図１】本発明に於ける赤外線検出装置の概略回路構成図。
【図２】従来の赤外線検出器の概略回路構成図。
【図３】本発明に於ける赤外線検出装置の信号線を少線化した赤外線検出装置の概略構成図
【符号の説明】
１  赤外線検出素子
２  オペアンプ
３  デジタル変換素子
４  信号線
５  直列並列順次変換素子
【図１】
2004279066.tif 000003
【図２】
2004279066.tif 000004
【図３】
2004279066.tif 000005
(57)【要約】【課題】マイコンが機種特定コードを読み込み、正常データーか否かを判定することによって、不揮発性メモリーの管理を容易にする。【解決手段】電源投入時、不揮発性メモリー１より不揮発性メモリー読み込み手段２により機種特定コード１０を読み込み機種特定コード判定手段３により不揮発性メモリーの種類を判定する。【選択図】図１
2004279028.tif 000002
【特許請求の範囲】
【請求項１】
機種独自のコードを記憶した不揮発性メモリーと、電源投入時に前記不揮発性メモリーよりデータを読み込む手段と、機種特定コードを設定し前記読み込みデータのうち機種を特定したコードと比較して、同じ機種特定コードの場合は、前記データを用いて給湯機の制御動作を行い、異なったコードの場合は、エラー表示を指示する判定手段を備えた制御装置。
【発明の詳細な説明】
【技術分野】
【０００１】
本発明は家庭用ガス給湯機に関するものである。
【背景技術】
【０００２】
従来、例えば、ガス給湯機では電源投入時、不揮発性メモリーより給湯機の制御に必要なデータだけをマイコンのラムに読み込んで給湯機の制御を行っていた。
【０００３】
また、ファンの出力補正では、マイコンのＲＯＭ内に出力補正データを持ち、そのデータを用いてファン回転数制御を行っていた。
【発明の開示】
【発明が解決しようとする課題】
【０００４】
しかしながら従来の不揮発性メモリーを使用している給湯機の場合、不揮発性メモリーのデータは、機種毎に異なる為、製造段階で不揮発性メモリーの種類の管理が容易でないという課題があった。
【０００５】
また、ファンの出力補正では、マイコンのＲＯＭを変更しないとファンの出力補正特性を変更できず、容易に変更できないという課題があった。
【０００６】
本発明は、上記課題を解決するもので、不揮発性メモリーに機種毎のコードを記憶させておくことで、不揮発性メモリーの管理を容易にすることを目的とし、不揮発性メモリーのデータとして、例えば、ファンの出力補正値を記憶させておくことで、ファン出力補正を容易に行えることを可能にすることができる。
【課題を解決するための手段】
【０００７】
上記目的を達成するために本発明の制御装置は、機種独自のコードを記憶した不揮発性メモリーと、電源投入時に前記不揮発性メモリーよりデータを読み込む手段と、機種特定コードを設定し前記読み込みデータのうち機種を特定したコードと比較して、同じ機種特定コードの場合は、前記データを用いて給湯機の制御動作を行い、異なったコードの場合は、エラー表示を指示する判定手段を備えたものである。
【０００８】
上記構成により本発明の制御装置は、電源投入時に不揮発性メモリーよりマイコンのラムに機種毎の特定コードを読み込み、使用すべき不揮発性メモリーか否かの判定を行って報知することにより、製造段階での不揮発性メモリーの管理を容易に行え、不揮発性メモリーを間違って使用することをなくすことができる。
【発明の効果】
【０００９】
本発明の制御装置は、不揮発性メモリーと制御装置との整合性の確認を容易に行えるという効果がある。
【発明を実施するための最良の形態】
【００１０】
第１の発明は、機種独自のコードを記憶した不揮発性メモリーと、電源投入時に前記不揮発性メモリーよりデータを読み込む手段と、機種特定コードを設定し前記読み込みデータのうち機種を特定したコードと比較して、同じ機種特定コードの場合は、前記データを用いて給湯機の制御動作を行い、異なったコードの場合は、エラー表示を指示する判定手段を備えたことを特徴とするものである。
【００１１】
そして、電源投入時に不揮発性メモリーよりマイコンのラムに機種毎の特定コードを読み込み、使用すべき不揮発性メモリーか否かの判定を行って報知することにより、製造段階での不揮発性メモリーの管理を容易に行え、不揮発性メモリーを間違って使用することをなくすことができる。
【実施例】
【００１２】
以下、本発明の制御装置の実施例について説明する。
【００１３】
図１は、本発明の一実施例としての給湯機の制御装置である。制御装置４の構成は、不揮発性メモリー１と、不揮発性メモリーのデータを読み込む手段２と機種特定コードを判定する手段３とファン出力補正手段８から構成される。また、リモコン５の構成は、エラー表示部６と操作部７から構成される。
【００１４】
以下、本発明の一実施例について説明する。制御装置４は、電源投入時不揮発性メモリー１より機種特定コードを、読み込み手段２より読み込む。次に機種特定コード判定手段３により、不揮発性メモリー１の機種特定コードと比較し、同じ機種特定コードなら、給湯機の制御動作をおこなう。また異なったコードの場合は、リモコン５のエラーコード表示部６に不揮発性メモリー１が正規品でないことを表示し、製造段階での不揮発性メモリーの管理を容易にする。
【００１５】
次に、不揮発性メモリー１のデータとしてファン補正値９を記憶させた場合について説明する。電源投入時、不揮発性メモリー１から不揮発性メモリー読み込み手段２によりファン補正値９を読み込む。次にファン補正値９に基づいたファン回転数をファン出力補正手段８により計算出力する。不揮発性メモリー１内のファン補正値９のデーターは、（Ｘ点、Ｙ点）２つのデーターを持ち、図２の様に補正前の出力値に対して補正値９（Ｘ点、Ｙ点）により補正をかける。
【図面の簡単な説明】
【００１６】
【図１】本発明の一実施例の制御装置のブロック図
【図２】同装置のファン出力補正特性図
【符号の説明】
【００１７】
１  不揮発性メモリー
２  不揮発性メモリー読み込み手段
３  機種特定コード判定手段
４  制御装置
５  リモコン
６  エラーコード表示部
７  操作部
８  ファン出力補正手段
９  ファン出力補正値
１０  機種特定コード
【図１】
2004279028.tif 000003
【図２】
2004279028.tif 000004
(57)【要約】      （修正有）【課題】芳香剤の放つ香りで寝ている人を気分よく、すっきり目覚めさせる、香りで起こす目覚まし時計に関するものである。【解決手段】目覚まし時計にカートリッジ式の芳香剤１をセットし、香りを空気中に放たせるためのファン２を設け、香りの強さの強弱を自由に設定できるボタン３とそれを制御するための制御装置を設ける。香りは目覚ましをセットした起きたい時刻の５分前位に自動的に放つようにする。【選択図】  図１
2004279396.tif 000002
【特許請求の範囲】
【請求項１】
目覚まし時計にカートリッジ式の芳香剤を取り付け、目覚ましをセットした時刻に起きられるように芳香剤の香りを自動的に放ち、その香りで寝ている人を気分よく、すっきり目覚めさせる香りで起こす目覚まし時計。
【請求項２】
目覚まし時計に取り付けるカートリッジ式の芳香剤を覚醒効果のある香りのものを中心に種類を作り、その香りの種類の中から選んだカートリッジ式の芳香剤を本体の目覚まし時計に取り付けることで起きる香りを自由に選択できる請求項１の香りで起こす目覚まし時計。
【発明の詳細な説明】
この発明は、目覚まし時計に好きな香りの種類のカートリッジ式の芳香剤を取り付け、目覚ましをセットした起きたい時刻に芳香剤の放つ香りで寝ている人を気分よく、すっきり目覚めさせる、香りで起こす目覚まし時計である。
従来の目覚まし時計は、大きな音によって寝ている人の意識を強引に覚ましていた。しがたって、気分のよい目覚めではなく起きた後も意識がはっきりしないこともあった。
本発明はその欠点を除いたもので、香りを使って快適な目覚めを目的とするものである。以下それを説明すると、
（イ）  本体の目覚まし時計に、好きな種類のカートリッジ式の芳香剤（１）をセットする。
（ロ）  その本体の上部に、香りを空気中に放たせるためのファン（２）を設ける
（ハ）  本体に香りの強さの強弱を自由に設定するボタン（３）と、それを制御するための制御装置を設ける。
（ニ）  香りは、目覚ましをセットした起きたい時刻の５分前位に、自動的に放つようにする。
（ホ）  カートリッジの中の芳香剤は、ミントなどの覚醒効果のあるものを中心に、使う人が選べるように種類を作る。
このようにすることで、起きやすい香りの強さ、香りの種類を使う人の気分や好みで自由に変更でき、そして覚醒効果のある香りなどを放ち、寝ている人の脳を香りで刺激することで気分よく、すっきり起きることができる。また聴力に障害のある人も、目覚まし時計として使用できる。
なお、本体の目覚まし時計の形、カートリッジの形は丸でも、三角形でも実用的でデザインがよい形であれば何でもよい。
また、芳香剤の種類は液体のもの、固体のもの、ジェル状のものなどがある
また、音は出しても出さなくてもよい。
また、目覚まし時計にしなくても、香りで時刻を知らせる時計として、使用することができる。
【図面の簡単な説明】
【図１】本発明の斜視図
【図２】本発明のカートリッジを入れた一部断面図
【図３】カートリッジの斜視図
【符号の説明】
１は芳香剤のカートリッジ
２はファン
３は香りの強弱設定ボタン
４は制御装置
５は停止ボタン
【図１】
2004279396.tif 000003
【図２】
2004279396.tif 000004
【図３】
2004279396.tif 000005
(57)【要約】［課題］大腸ガンの検便、肺ガンの検痰など、検体の潜血反応テストをするには、現状では、受診して検査を受けるか、検体を病院へ郵送しなければならない。この煩わしさをなくするため、自宅で手軽に潜血反応テストをすることができるようにして、ガンの早期発見に貢献する。［解決手段］便、痰などの検体の潜血の有無を調べるための、潜血反応の第一試薬を浸透させた濾紙と、これに滴下する第二試薬とのキットを作り、潜血反応テストを自宅でできるようににする。第一試薬を浸透させた濾紙を検体に被せ、木片などで押さえて、検体を濾紙に滲み込ませ、その上から第二試薬を滴下して、発色の有無により、潜血の有無を判定する。【選択図】図１
2004279393.tif 000002
【特許請求の範囲】
【請求項１】
大腸ガンの検便や、肺ガンの検痰など検体の血液の有無を調べる潜血反応テストを、病院へ行かないでキットを用いて、自宅でできるようにする方法。
【発明の詳細な説明】
【０００１】
［発明の属する技術分野］
病院へ受診せずに、又は検体を病院へ郵送せずに、自宅で自分や家族で、便、痰など検体の潜血反応テストをすることができる方法である。
第一の試薬（テトラメチルベンジジンなど）を浸透させた濾紙を検体に被せ、木片などで押さえて検体を濾紙に滲み込ませ、その上から、第２の試薬（過酸化水素水など）を滴下して、発現する色の有無で潜血の有無を検査する。
【０００２】
［従来の技術］
従来の潜血反応テストを受けるには、患者が病院へ受診するか、現在行われているように、検体を病院へ郵送するなどしなければならない。そのうえ、結果が判明するにも日時を要する。
【０００３】
［発明実施の形態］
潜血反応テストに用いる第一試薬を浸透させた濾紙と、その濾紙を便や痰などの検体の上に被せて滲み込ませ、その上から滴下する第二の試薬とを用い、発色の有無により潜血の有無を判定することが、自宅でできるような方法。
【０００４】
［発明の効果］
この方法により、自宅で排泄、喀出した検体を自分で検査し、潜血の有無を判定することができる。受診や検体の郵送の手間が省け、結果も直ちに判定できる。
自宅で自分で手軽にできるので、多くの人が利用することができる。潜血反応陽性ならば、受診してさらに精検を受ければよい。結果として、胃ガンや肺ガンなどを早期に発見できる。
【図面の簡単な説明】
【図１】斜視図
【図２】断面図
［記号の説明］
１  便、痰などの検体
２  潜血反応第一試薬を浸透させた濾紙
３  濾紙に滲み込ませた検体
４  滴下する第二試薬
５  潜血反応陽性の緑色発色
【図１】
2004279393.tif 000003
【図２】
2004279393.tif 000004
(57)【要約】【課題】水の分解の進行を判断でき、とくに水の分解生成物である酸素を感度よく検出する方法を得る。【解決手段】本発明の光触媒の水分解評価方法は、反応室１内に評価対象の光触媒２を設置し、反応室内に試料ガスを導入し、光触媒に光を照射して励起し、質量分析器５により光触媒の水分解反応を評価するもので、反応室内を真空にし、その後、試料ガスとして水と酸素を含むガスを導入とするものである。また、酸素を含むガスをオゾンとしてもよい。【選択図】    図１
2004279305.tif 000002
【特許請求の範囲】
【請求項１】
反応室内に評価対象の光触媒を設置し、前記反応室内に試料ガスを導入し、前記光触媒に光を照射して励起し、質量分析器により前記光触媒の水分解反応を評価する光触媒の水分解評価方法において、
前記反応室内を真空にし、その後前記試料ガスとして水と酸素を含むガスを導入することを特徴とする光触媒の水分解評価方法。
【請求項２】
前記酸素を含むガスが、オゾンであることを特徴とする請求項１記載の光触媒の水分解評価方法。
【発明の詳細な説明】
【０００１】
【発明の属する技術分野】
本発明は、光触媒の水分解反応を評価する方法に関する。
【０００２】
【従来の技術】
従来の光触媒の反応生成物の評価は、質量分析装置を用いて行われている（例えば、特許文献１参照）。
【０００３】
【特許文献１】
特開２００１−５７１７３号公報（第４頁、第２図）
【０００４】
図３は、従来の方法の処理手順を示すフローチャートである。図３において、ステップ１では光触媒２を１Ｔｏｒｒ程度の圧力に保った反応室１に設置する。ステップ２で分析対象となる試料ガスを反応室１内に導入する。ステップ３で光触媒に光を照射する。
このように、従来の質量分析装置では、分析対象となる試料ガスのみを反応室内に導入し、光を照射することで発生した反応生成物を、質量分析器に導入し、質量分析する、という手順がとられていた。
【０００５】
【発明が解決しようとする課題】
しかしながら、従来の光触媒の反応生成物の評価方法では、水の分解について評価する場合、次のような問題点があった。水を分解すると水素と酸素が発生する。このうち、水素の検出は比較的容易であるが、酸素は活性が高く装置壁面等に吸着しやすい。このために、試料ガスとして水のみを導入した場合、酸素を検出することが困難であり、水の分解反応が進行しているかどうか判断することが困難である。
本発明はこのような問題点に鑑みてなされたものであり、水の分解が進行しているかどうかを判断できる評価方法、特に、水の分解生成物である酸素を感度よく検出することができる方法を提供することを目的とする。
【０００６】
【課題を解決するための手段】
上記問題を解決するため、本発明は、反応室内に評価対象の光触媒を設置し、前記反応室内に試料ガスを導入し、前記光触媒に光を照射して励起し、質量分析器により前記光触媒の水分解反応を評価する光触媒の水分解評価方法において、前記反応室内を真空にし、その後前記試料ガスとして水と酸素を含むガスを導入するものである。
このようになっているため、反応室内の壁面等に吸着される酸素と気相の酸素が平衡状態になり、水の分解によって生成された酸素を消費されずに測定することができる。
また、前記酸素を含むガスを、オゾンとしたものである。
このようになっているため、酸素と質量を区別することができ、水の分解で生成された酸素が極微量であっても測定することができる
【０００７】
【発明の実施の形態】
以下、本発明の具体的実施例を、図に基づいて説明する。
図１は、本発明の方法を実施する質量分析装置の構成図である。図において反応室１には、排気手段６とガス導入手段４と質量分析器５が取り付けられており、反応室１内には、光触媒２が設置されている。また、反応室１の外部には、光触媒を励起することができる光源３が設置されており、光触媒２に光を照射することができる構成となっている。
本発明の第一の方法について説明する。
図２に示すフローチャートを用いて説明する。
はじめにステップ１で、反応室１内を排気手段６で真空引きし、反応室１内の反応対象以外のガスを取り除く。これによって、反応対象ガス以外の不純物を低減することができ、高感度な測定を行うことができる。ステップ２でガス導入手段４から水と酸素を含むガスを反応室１内に導入する。反応室１に導入された水は、反応室１の壁面や光触媒の表面に吸着する。酸素も同様に、反応室１の壁面に吸着し、気相の酸素と吸着した酸素との間で平衡状態となる。ステップ３で光触媒に光を照射する。光触媒反応によって表面に吸着した水が分解され、分解生成物として水素と酸素が生成される。このとき生成した酸素は、反応室１の壁面に吸着することができず、質量分析器で検出することができる。
本発明の第２の方法について説明する。
第１の方法と同様な手順で実施し、ステップ２で、水とオゾンを含むガスを反応室１に導入する。オゾンも、酸素と同様に活性が高いので、第２の方法のときと同様に、壁面に吸着し平衡状態となる。また、オゾンは、酸素と質量が異なるので、質量分析において、光触媒反応で生成した酸素と区別して検出される。したがって、光触媒の水分解反応によって生成された酸素が極微量であっても検出することができる。
これらの評価方法で評価することができる光触媒材料は、特に限定されるものではない。例えば、ＴｉＯ２、Ｔａ２Ｏ５、ＮａＴａＯ３、ＩｎＴａＯ５などがあげられる。また、光触媒の形状も特に限定されるものではなく、粉末、板状、棒状などの形状でも評価することが可能である。
【０００８】
【発明の効果】
以上述べたように、本発明の方法によれば、反応室内を真空にしてから試料ガス（水）に酸素を混合して導入し、その後、光触媒に光を照射するという手順をとっているので、反応室内の壁面等に吸着される酸素と気相の酸素が平衡状態になり、水の分解によって生成された酸素を消費されずに測定することができるという効果がある。
また、請求項２に記載の方法によれば、オゾンを導入しているので、上記効果に加え、酸素と質量が異なるために、水の分解で生成された酸素が極微量であっても測定することができるという効果がある。
【図面の簡単な説明】
【図１】本発明の方法を適用する質量分析装置の構成図。
【図２】本発明の方法の処理手順を示すフローチャート。
【図３】従来の方法の処理手順を示すフローチャート。
【符号の説明】
１  反応室
２  光触媒
３  光源
４  ガス導入手段
５  質量分析器
６  排気手段
【図１】
2004279305.tif 000003
【図２】
2004279305.tif 000004
【図３】
2004279305.tif 000005
(57)【要約】【課題】大きさや重量、形状を自在に設定し、海藻類の付着度合もよく、海中でロ−プ等で吊持しておくにも好適でしかも容易に実行することができる海藻類の胞子床用ブロックの製造方法とする。【解決手段】脱泡処理した原料粘土塊の表面に炭粉を塗し付けた後、これを加熱手段を用いて焼成することとし、前記した原料粘土塊は目的とするサイズ、形状に塑造されていることとする。【選択図】　　　　　なし【特許請求の範囲】
【請求項１】
脱泡処理した原料粘土塊の表面に炭粉を塗し付けた後、これを加熱手段を用いて焼成することを特徴とする海藻類の胞子床用ブロックの製造方法。
【請求項２】
前記した原料粘土塊は目的とするサイズ、形状に塑造されていることを特徴とする請求項１に記載の海藻類の胞子床用ブロックの製造方法。
【発明の詳細な説明】
【０００１】
【発明の属する技術分野】
本発明は、主として食用の海藻類の胞子床用ブロックの製造方法に関する。
【０００２】
【発明の背景】
従来、食用、薬用等々として有用な海藻類、特にアサクサノリ、スサビノリ等のノリ類とワカメ、コンブ等は日本の沿岸のいたるところで、魚貝類と並んで海面養殖されており、その養殖は古くは投石、磯掃除、移植等によって行なわれ、近年になって垂下養殖、網養殖、人工的な胞子培養等の養殖技術の進歩とともに、施肥、環境改善等によって一層効果をあげてはきている。
【０００３】
また、海藻類は有性あるいは無性により生殖するものがほとんどであるがその様式は分類群によって異なっている。配偶子は泳ぐもの、波にゆられるものがあるが、いずれも胞子が岩床等に付着し、発芽し、生長して別固体となっていく。
【０００４】
【発明が解決しようとする課題】
しかしながら、人工培養を施すにしろ、前記した海藻類の成育の特性から、葉や茎と明瞭な区別がない根を安定させ、離脱を防止して歩留りのよい養殖を行なうためには現在決定的な床材は提案されておらず、光がよく透過する水深２０ｍ以浅に保持させておくための重量、寸法的にも見合うものも存在していない。また、網養殖の場合は遊泳する魚類を傷付けたり、台風時の対応が大変なものとなっている。
【０００５】
【発明の目的】
そこで、本発明は上記した従来の実情、問題点に着目してなされたもので、かかる問題点を解消して、大きさや重量、形状を自在に設定し、海藻類の付着度合もよく、海中でロ−プ等で吊持しておくにも好適でしかも容易に実行することができる海藻類の胞子床用ブロックの製造方法を提供することを目的としている。
【０００６】
【課題を解決するための手段】
この目的を達成するために、本発明に係る海藻類の胞子床用ブロックの製造方法は脱泡処理した原料粘土塊の表面に炭粉を塗し付けた後、これを加熱手段を用いて焼成することを特徴とし、前記した原料粘土塊は目的とするサイズ、形状に塑造されていることを特徴としている。
【０００７】
【作用】
上記した構成としたことにより、所有のサイズ、重量としたセラミックスブロックの外表面には塗した炭粉の焼却跡として多数の小孔がランダムに成形されることとなり、その小孔に胞子を植設することで安定した状態で海藻類を培養し、海中で養殖することが可能となり、好適な深度での吊持、保持位置決めが可能となるのであり、必要に応じて礁を講じていくことも可能となるのである。
【０００８】
【発明の実施の形態】
次に、本発明の好ましい実施の形態を説明する。
【０００９】
まず、本発明の実施に際しては原料粘土が用意されるが、この原料粘土はセラミックスとして好適な酸化珪素と酸化アルミニウムを主成分としたものであり、水系バインダ−及び分散剤を添加し、湿式混合、いわゆる練り上げがなされる。
【００１０】
この原料粘土塊に対し、通常の方法で脱泡処理が施された後に、目的とするサイズ、形状に塑形し、ブロック原形とする。こうして得られたブロック原形の外表面に適宜量の炭粉を埋めるように塗し付ける。
【００１１】
こうして外表面に炭粉を塗し付けたブロック原形（原料粘土塊）を高熱を用いて焼成することとなる。この焼成手段は窯をはじめ、ガス、オイル、電気、薪等を用いた簡易な設備を使用することができ、サイズによっては電子レンジやオ−ブン等も利用することが可能である。
【００１２】
かかる焼成作業中に、ブロック原形の外表面に塗し付けられている炭粉は熱によって燃焼され、二酸化炭素となって揮発飛散してしまうこととなり、この揮発痕が焼成されたセラミックスブロックの外表面に多数残ることとなる。また、燃焼しなかった炭粉は有効炭素としてセラミックスブロックの外表面に焼結して残るものとなる。
【００１３】
こうして最終的に得られたセラミックスブロックは外表面には多数の穴が存在するも、内部はポ−ラスのない無垢状態となっているため、比重も十分にあり、海中に沈め、あるいは吊持させておくことが可能なものとなる。
【００１４】
このセラミックスブロックの外表面の多数の穴内に目的とする海藻類の胞子を植え付け、適宜な手段で海中に沈埋もしくはロ−プ等により吊持させることとなる。このセラミックスブロックは海藻類の床として胞子を付着させ育成させることができ、そのセラミックスブロックを回収することで取り入れ作業も行い易く、何度でも繰り返して使用することができるものとなっている。
【００１５】
【発明の効果】
本発明に係る海藻類の胞子床用ブロックの製造方法は上述のように構成されている。そのために、きわめて簡易かつ容易な手順によって胞子を植え付け、育成させるのに好適な、表面に多数の穴を強制的に形成したセラミックスブロックを製造することができることとなる。サイズ、形状のほか、重量も素材で調整することができ、取り扱いも容易なブロックを得ることができることとなっている。そして、このブロックをロ−プ吊持することは遊泳する魚類の保護にもつながり、台風時等の対応も行い易く、特にコンブを対象とすると、食用のほかメタンガス等をはじめとする海中環境の浄化、保護にもつながる結果となる。
(57)【要約】【課題】魚の口の中で２本の釣り針が左右に開く釣り針。【解決手段】２本の釣り針と１個のキックバネを組み合わせた釣り針であり、魚がエサを口中に入れたとき、魚の口の中でエサの形状が崩れた瞬間に２本の釣り針がキックバネの力によって左右に開き自動的に魚が掛かる釣り針である。【選択図】図１
2004073155.tif 000002
【特許請求の範囲】
【請求項１】
２本の釣り針が魚の口の中で左右に開く釣り針。
【発明の詳細な説明】
【０００１】
【発明の属する技術分野】
（イ）２本の釣り針とキックバネを組み合わせた釣り針である。
（ロ）魚がエサを口の中に入れた時、魚の口の中でエサの形状が崩れた瞬間に２本の釣り針がキックバネの力によって左右に開く釣り針である。
【０００２】
【発明が解決しょうとする課題】
（イ）魚がエサを食った時、ウキや竿先にでるアタリを釣り人が見逃したり、合わせるのが遅れても魚が釣り針に掛かるようにしたものである。そして又、全然合わせなくても魚が釣り針に掛かるようにしたものである。
（ロ）ハエ縄漁においては合わせなしの魚まかせの釣りであるためエサだけとられて空バリで上がってくる割合を少なくするものである。
（ハ）小魚等のエサ取りはウキや竿先にアタリが出ないようにエサをとるので釣り人は釣り針にエサの付いていないのに気がつかないで釣りをしている時が多い。小魚でも釣り針に掛かるとウキに変化が現れるので釣り人は空バリの状態で釣りをする時間が少なくなる。
（ニ）キスやカレイ等を対象とした投げ釣りにおいては１００メートル前後も投げるので竿先に魚のアタリが出て来にくい事が多い。本発明はこれを解決するものである。
（ホ）海釣りの場合、波が荒くてウキに出る魚のアタリがわかりにくい時でも魚が掛かる割合を高くするものである。
【０００３】
【課題を解決するための手段】
（イ）２本の釣り針と１個のキックバネを組み合わせた釣り針である。
（ロ）釣り針の上部には半円形の耳を付け丸環によって２本の釣り針を連結する。
（ハ）釣り針の下部はキックバネの中へ差し込んで２本の釣り針を連結する。
（ニ）釣り針の左右に開く角度は色々な角度のキックバネを使用することにより０度から１８０度の間で色々な角度に開く釣り針を作ることが出来る。
（ホ）使用する釣り餌の種類によって釣り針の開く力の調整はキックバネの材質及びキックバネの線材の太さ、及びキックバネのラセン部分の長さによって微調整する。
（ヘ）釣る魚の種類によって釣り針の開く角度を色々な角度のキックバネを使用することにより一番効果のある角度で開く釣り針を製作することが出来る。
（ト）釣り糸は２本の釣り針を上部で連結する丸環に結び付ける。
【０００４】
【発明の実施の形態】
（イ）釣り針の材質は通常はハガネで良いが水中、特に海水中で使用して耐久性を求める場合は錆びを防ぐためにステンレスやチタンを使用する。
（ロ）キックバネの材質も通常はハガネで良いが水中、特に海水中で使用して耐久性を求める場合は錆びを防ぐためにステンレスやチタンを使用する。
（ハ）釣る魚の種類によって釣り針が軽い方が効果のある場合は釣り針もキックバネもチタンを使用する。
【０００５】
【発明の効果】
（イ）魚がエサを食った時、ウキや竿先にでるアタリを釣り人が見逃したり合わせるのが遅れても魚が釣れるようになる。又、全然合わせなくても魚が釣り針に掛かる。
（ロ）マグロ、ブリ等を対象とするハエ縄漁においては使用する釣りエサもイワシ、サンマ、イカ等を丸ごと使い、使用する釣り針も大きくなるので魚が掛かる割合が今までよりも非常に高くなる。
（ハ）小魚等のエサ取りでも釣り針に掛かるので釣り人はエサを取られたままの空針状態で釣りをしている事が無くなる。
（ニ）キスやカレイ等をねらう投げ釣りにおいてはエサにゴカイ、イソメ等の環状動物の釣りエサを釣り針に縫うように差して使うのでエサも取られにくく魚が掛かる割合が今までよりも高くなる
（ホ）海釣りで波が荒くてウキに出るアタリがわかりにくい時でも魚が掛かる割合が非常に高くなる。
（ヘ）釣り針が２本とも魚に掛かった場合は魚の暴れ方が少なくなり魚を釣り上げやすくなる。又、釣り上げる途中で魚を逃がす割合が少なくなる。
【図面の簡単な説明】
【図１】左右に１８０度に開く本発明の正面図
【図２】本発明の左右に１８０度に開く釣り針だけの正面図
【図３】本発明の左右に１８０度に開く釣り針だけの上面図
【図４】本発明の左右に１８０度に開くキックバネだけの正面図
【符号の説明】
１は釣り針　２は耳　３は丸環　４はキックバネ
【図１】
2004073155.tif 000003
【図２】
2004073155.tif 000004
【図３】
2004073155.tif 000005
【図４】
2004073155.tif 000006
(57)【要約】【目的】バリカン型刈刃装置において、草刈機動力部の駆動軸中心線とバリカン型刈刃装置のバリカン刈刃駆動軸中心線をほぼ一致させて、草刈り作業の不都合を解消することを目的とする。【構成】１駆動軸接続部材をネジで固着した２カサ歯車部材と５カサ歯車部材をかみ合わせる。５カサ歯車部材と６平歯車部材とを連結し、６平歯車部材を７平歯車部材とかみ合わせる。さらに、７平歯車部材と８カサ歯車部材とを連結し、８カサ歯車部材を９カサ歯車部材とかみ合わせる。９カサ歯車部材には１０、１１偏心カムを固着した１２バリカン刈刃駆動軸がネジで固着されている。【選択図】　　図３
2004073156.tif 000002
【特許請求の範囲】
【請求項１】
バリカン刈り刃を駆動させるバリカン型刈刃装置において、草刈機動力部の駆動軸を取り付ける取付部材の中心線Ｘとバリカン刈刃駆動軸の中心線Ｙをほぼ一致させるために、駆動歯車列を２カサ歯車部材−５カサ歯車部材−６平歯車部材−７平歯車部材−８カサ歯車部材−９カサ歯車部材の順に組み合わせて、それぞれ噛み合わせ駆動するように構成してなるバリカン型刈刃装置。
【発明の詳細な説明】
【産業上の利用分野】
本発明は田んぼの畦や用水路等の雑草、芝の刈り込み等に使用されるバリカン型刈刃装置に関する。
【従来の技術】
従来、図４で示した通り、草刈機動力部の駆動軸を取り付ける中心線Ｔとバリカン刈刃装置のバリカン刈刃駆動軸中心線Ｗがズレていた。
【発明が解決しようとする課題】
前述の従来形バリカン刈刃装置では、草刈機動力部の駆動軸取り付け中心線とバリカン刈刃装置のバリカン刈刃駆動軸の中心線がズレる歯車列の組み合わせであり、草刈り作業に不都合が生じる欠点があった。
【課題を解決するための手段】
本発明では前記の課題解決のため、図３に示す歯車列にして、草刈機動力部の駆動軸中心線（草刈機動力部の駆動軸を取り付ける取付部材の中心線）Ｘとバリカン型刈刃装置のバリカン刈刃駆動軸中心線Ｙとをほぼ一致させて、草刈り作業の不都合を解消する。
【実施例】
本発明の一実施例を図面に基づき詳細に説明する。
Ａはバリカン型刈刃装置の外観で、３操作桿接続部材に草刈機動力部（図示せず）を接続する。４バリカン刈刃装置本体と３操作桿接続部材とは回動自在になっており、刈り刃の角度を適宜に変えることにより、草刈り作業を楽な姿勢でできるように構成されている。
１駆動軸接続部材をネジで固着した２カサ歯車部材と５カサ歯車部材をかみ合わせる。５カサ歯車部材と６平歯車部材とを連結（一体でも可）し、６平歯車部材を７平歯車部材とかみ合わせる。さらに、７平歯車部材と８カサ歯車部材とを連結（一体でも可）し、８カサ歯車部材を９カサ歯車部材とかみ合わせる。９カサ歯車部材には１０、１１偏心カムを固着（一体でも可）した１２バリカン刈刃駆動軸がネジで固着されている。
上例の作用について説明すると、草刈機動力部（図示せず）からの動力を１駆動軸接続部材が受け、２カサ歯車部材が回転駆動する。２カサ歯車部材の回転力を、５カサ歯車部材、６平歯車部材、７平歯車部材、８カサ歯車部材、９カサ歯車部材に順次伝達させて、さらに、９カサ歯車に固着された１２バリカン刈刃駆動軸、１０，１１偏心カムに回転力が伝達され、１３バリカン刈り刃が往復駆動されるように構成（図示せず）されている。
前記の歯車列に歯車を構成すると、草刈機動力部の駆動軸中心線Ｘとバリカン型刈刃装置のバリカン駆動軸中心線Ｙをほぼ一致させることが可能になり、草刈り作業の不都合を解消したバリカン型刈刃装置となる。
【発明の効果】
本発明によると、草刈機動力部の駆動軸中心線Ｘとバリカン型刈刃装置のバリカン刈刃駆動軸中心線Ｙをほぼ一致させられるので、草刈り作業は草刈機を左右バランス良く振り回しておこなうことが可能になる効果が得られる。
【図面の簡単な説明】
【図１】本発明を内蔵したバリカン型刈刃装置の側面図。
【図２】本発明を内蔵したバリカン型刈刃装置の底面図。
【図３】第１図のＭ−Ｎ矢線における平面図。
【図４】本発明と比較した従来形の部分断面図。
【符号の説明】
１　　駆動軸接続部材
２　　カサ歯車部材
３　　操作桿接続部材
４　　バリカン刈刃装置本体
５　　カサ歯車部材
６　　平歯車部材
７　　平歯車部材
８　　カサ歯車部材
９　　カサ歯車部材
１０　　偏心カム
１１　　偏心カム
１２　　バリカン刈刃駆動軸
１３　　バリカン刈り刃
Ｘ　　草刈機動力部の駆動軸を取り付ける取付部材の中心線
（草刈機動力部の駆動軸中心線）
Ｙ　　バリカン刈刃駆動軸中心線
【図１】
2004073156.tif 000003
【図２】
2004073156.tif 000004
【図３】
2004073156.tif 000005
【図４】
2004073156.tif 000006
(57)【要約】【課題】根掛かりを防止できるルアーを提供する。【解決手段】ルアー本体の下部に磁石を埋設し、該磁石に近接させてフックを回動可能に設けたことを特徴とする。【選択図】　　　図６
2004073158.tif 000002
【特許請求の範囲】
【請求項１】
ルアー本体の下部に磁石を埋設し、該磁石に近接させてフックを回動可能に設けたことを特徴とする磁石付きルアー。
【発明の詳細な説明】
【０００１】
【発明の属する技術分野】
この発明は、ルアーに磁石を埋設してなる磁石付きのルアーに関する。
【０００２】
【従来の技術】
従来より、種々のスタイルのルアーが利用されているが、本発明にて示す磁石付きのルアーは見当たらない。
【０００３】
【発明が解決しようとする課題】
従来のルアーは、魚形を模したルアー本体を作り、このルアー本体にフック（釣り針）を回動可能に取り付け、ルアー頭部にアイと呼ばれる環体を埋設して、このアイに道糸を結びつけて使用するものである。
このルアーは水中に投下し、水中を引くことで水の抵抗を受けて潜行し、魚を誘うものである。一般的には胴体腹部と尾部の２個所にフックを設けている。
これは魚がルアーを捕らえるとき、胴体に噛みつく場合と、後ろから追いかけて尾部から噛みつく場合とがあるためである。
しかし、胴体部のフックが腹の下に垂下しているので、海底や海藻などに引っかかりやすく、ルアーを引き上げるのに難儀したり、道糸が切れてルアーを失ったり、糸絡みをしがちである。
本発明は、以上のような従来からのルアー使用に関わる課題を解決するために発明されたもので、腹部磁石にフックを磁着させることにより、既述の問題を回避するべく開発されたものである。
【０００４】
【課題を解決するための手段】
課題を解決する手段として本発明は、ルアー本体の下部に磁石を埋設してその主要部を構成した。すなわち、ルアー本体の下部に磁石を埋設し、該磁石に近接させてフックを回動可能に設ける。
本発明は、以上の構成よりなる磁石付きルアーである。
【０００５】
【実施例】
以下、本発明の実施例について説明する。
図において、１は魚形を模したルアー本体で、本例ではバルサ材を用いて形状を作り、表面に化粧塗装を施している。２〜４はアイと呼ばれる金属製小環体で、ルアー本体の頭部先端、腹部、尾部に各々設けられる。
５および６は通称フックと呼ばれる釣り針で、アイに回動可能に取り付けられる。５のフックは２本を所定角度（約１２０度）をもって相互に固着したものであり、６のフックは１本の釣り針である。双方のフック先端はアイより上方に位置している。７はルアー本体腹部に埋設される希土類永久磁石で、その下端はルアー本体腹部よりわずかに突出している。
８はルアー本体尾部にアイおよび係止リング９（スプリットリング）を介して揺動自在に設けられるテールスカートで、本例では着色ナイロン糸を束ねて使用している。
以上が、本発明の一実施例である。
【０００６】
本例を使用するには、アイ２に道糸を結びつけて水中に投下する。
ルアー本体は軽比重のため、本例でのルアーは水面近くを浮遊するが、必要に応じて道糸に錘を付加することで海底近くにルアーを位置させることができる。本発明は永久磁石を内蔵しており、腹部のフックはこの磁石に磁着され、針先はルアーボディーの側面に沿って出ているので、海底に針先が接触することがなく、根掛かりを防止することができる。
魚がルアーをバイトしたときは、磁石からフックが外れて魚口に掛かり、一般のルアー同様に魚を引き寄せることができる。
なお、本例ではルアー後方にテールスカートを設け、釣果を上げるよう配慮した。図３は磁石の埋設状態を説明した図で、磁石はその大半はルアー本体腹部に埋設され、磁石下端はわずかに突出し、この突出部分にフックが磁着する。
１０は仮想線で示す円柱形空洞で、この空洞内に鋼製球体１１を位置させている。これは、ルアー使用時にその傾きや動きによって球体が移動して空洞壁に衝突し、その発音にて魚の注意を引くもので、より釣果が上がることが期待される。
また、ルアー投下時には球体は中央位置から尾部へと移動し、ルアーの重心位置が変化してより遠方にルアーを投下することができる。
【０００７】
図４は、本発明の磁着機構を２個所設けた例であり、その他の部分は前例と同様である。本例では後方のフックを１本としているが、前方のフック同様に２本としてもよい。なお、以上の例において、フック５は半田付けにて固着しているため、フック交換は不可であるが、半田付けに代えて平板を湾曲させたスリーブ固定とすることで交換が可能となる。また、本発明のルアーは単独使用を想定しているが、他の手段としてさびきのように複数個のルアーを使用して釣果を上げることができる。なお、本発明はルアーに関わるものであるが、ジグにも応用可能である。
以上のごとく、本発明により根掛かりを防いでより一層の釣果を期待できる新規なルアーを得ることができる。
【０００８】
【発明の効果】
本発明によれば、ルアー本体腹部に磁石を埋設し、該磁石に近接してフックを回動可能に設けたので、使用時にはこのフックが磁石に磁着し、従来法のようにフックがルアー本体下部に垂れ下がることがなく、フックが海底や海藻に引っかかるいわゆる根掛かりを起こすことを防止できる、有用で便利なる新規なルアーを提供することができる。
【図面の簡単な説明】
【図１】本発明の正面図
【図２】本発明の底面図
【図３】本発明の磁石埋設状態説明図
【図４】本発明の他例を示す正面図
【図５】従来例の使用状態説明図
【図６】本発明の使用状態説明図
【符号の説明】
１　　ルアー本体
２　　アイ
３　　アイ
４　　アイ
５　　フック
６　　フック
７　　永久磁石
８　　テールスカート
９　　係止リング
１０　空隙部
１１　球体
【図１】
2004073158.tif 000003
【図２】
2004073158.tif 000004
【図３】
2004073158.tif 000005
【図４】
2004073158.tif 000006
【図５】
2004073158.tif 000007
【図６】
2004073158.tif 000008
(57)【要約】【目的】アガリクス茸の嫌味の除去。【構成】アガリクス茸にアミラーゼと酵母と乳酸菌を加えて発酵させて後、この濾液を加熱・濃縮してエキスとする。【効果】【１】この物質は無味で、大量に食べれる事となった。【２】エキスを食べ終わった瞬間に、前立腺炎の痛みが消えた。【選択図】【選択図】なし【特許請求の範囲】
【請求項１】
水に浸したアガリクス茸を発酵さすのに発酵させる酵素の１つとして、或いは、単独で、発酵させる酵素として、乳酸菌を用いて発酵させた液を、濾過し、その濾液を、凍結乾燥以外の加熱方法で濃縮して、エキスを作る、アガリクス茸の加工方法。
【発明の詳細な説明】
【０００１】
【発明の属する技術分野】
この発明は健康を増進する為に食用とするアガリクス茸の加工方法に関する。
【０００２】
【従来の技術】
アガリスク茸は、特願２０００−３２４７３７の加工で食べている。
【０００３】
【発明が解決しようとする課題】
上記の方法にても、多量食べる事には、難があった。
【０００４】
【課題を解決するための手段】
上記を解決するため、発酵工程の終わりに乳酸菌を加えて発酵させた。
【０００５】
【発明の実施の形態】
乾燥したアガリクス茸７０ｇに水１．５Ｋｇを加え、２４時間後、微粉砕し、αアミラーゼ５ｇを加えて１時間煮沸し、５５℃でβアミラーゼ５ｇを加えて４時間保温後、冷却して、２０℃以上の室温になった時、酵母６ｇを加え、２日後、乳酸菌を加えて１０日経過後この液を濾過し、その濾液を加熱・濃縮して２５０ｇのエキスを得、その３ｇを１回分として食した。
【０００６】
【発明の効果】
本発明は、以上説明したように構成されているので、以下に記載されるような効果を奏する。
【０００７】
この物質は無味で大量に食べれる事となった。
【０００８】
エキスを食べ終わった瞬間に、前立腺炎の痛みが消えた。